(57)【要約】【課題】本来のゴルフボールマーカーとは異なる、他の機能を設けたゴルフボールマーカーを提供すること。【解決手段】円形の外形を有する円盤体２と軸体３とから構成されており、円盤体２は、中央に設けられた基部４と、当該基部４を中心として配置された環状体５と、前記基部４と環状体５との間に設けられた複数枚の羽根体６を有している。軸体３は、前記円盤体２の基部４中央に略垂直に設けられた棒状体であって、尖塔形状若しくは半球形状に形成された先端部を有し、指でつまめる程度の軸径に形成されている。【選択図】図１
2005261769.tif 000002
【特許請求の範囲】
【請求項１】
基部と、当該基部に設けられた軸体および当該基部の周囲に設けられた複数の羽根体と、当該羽根体の端縁に設けられた円環状の環状体とから構成されており、
前記羽根体は、前記軸体の長手方向と直交する方向に前記軸体を中心として等間隔に配置されており、
前記環状体は、前記軸体と同軸を成すように設けられていることを特徴とするゴルフボール用マーカー。
【請求項２】
円形の外形を有する円盤体と軸体とから構成されており、
前記円盤体は、中央に設けられた基部と、当該基部を中心として配置された環状体と、前記基部と環状体との間に設けられた複数枚の羽根体を有しており、
前記軸体は、前記円盤体の基部中央に略垂直に設けられた棒状体であって、尖塔形状若しくは半球形状に形成された先端部を有し、指でつまめる程度の軸径に形成されていることを特徴とするゴルフボール用マーカー。
【請求項３】
前記軸体の全長は、１０ｍｍ以上かつ前記円盤体の半径以下となる寸法に形成されていることを特徴とする請求項１または２記載のゴルフボール用マーカー。
【請求項４】
前記軸体の軸径は、１ｍｍ以上３ｍｍ以下であって、前記基部側に比べて先端部が略小径となるように形成されていることを特徴とする請求項１乃至３のいずれか１項記載のゴルフボール用マーカー。
【請求項５】
前記基部と環状体の間には、前記複数の羽根体と当該各羽根体との間に形成された開口が設けられており、当該開口全体の面積と比較して羽根体全体の面積が大きくなるように形成されていることを特徴とする請求項１乃至４のいずれか１項記載のゴルフボール用マーカー。
【発明の詳細な説明】
【技術分野】
【０００１】
本願発明は、ゴルフの際に使用するゴルフボール用マーカーに関するものである。
【背景技術】
【０００２】
ゴルフボール用マーカーは、グリーン上で使用されるものであり、グリーン上にあるゴルフボールを一時的に取り除く際に、もとのゴルフボールの位置が分かるようにグリーン上に載置するものである。このようなゴルフボール用マーカーとして、水準器の機能を備えたものが知られている（特許文献１）。
【特許文献１】特開２００２−２５３７１７号公報
【発明の開示】
【発明が解決しようとする課題】
【０００３】
上記従来のゴルフボールマーカーは、ゴルフボールの位置を示す本来の機能の他、水準器によってグリーンの傾斜を把握することができるという２つの機能を有したものである。
本願発明は、上記水準器を設けたゴルフボールマーカーとは異なる、他の機能を設けたゴルフボールマーカーを提供することを目的とする。
【課題を解決するための手段】
【０００４】
上記課題を解決するために、本願請求項１記載の発明は各の構成を有する。すなわち、
基部と、当該基部に設けられた軸体および当該基部の周囲に設けられた複数の羽根体と、当該羽根体の端縁に設けられた円環状の環状体とから構成されており、
前記羽根体は、前記軸体の長手方向と直交する方向に前記軸体を中心として等間隔に配置されており、
前記環状体は、前記軸体と同軸を成すように設けられていることを特徴とするゴルフボール用マーカー。
【０００５】
また、請求項２記載の発明は下記の構成を有する。すなわち、
円形の外形を有する円盤体と軸体とから構成されており、
前記円盤体は、中央に設けられた基部と、当該基部を中心として配置された環状体と、前記基部と環状体との間に設けられた複数枚の羽根体を有しており、
前記軸体は、前記円盤体の基部中央に略垂直に設けられた棒状体であって、尖塔形状若しくは半球形状に形成された先端部を有し、指でつまめる程度の軸径に形成されていることを特徴とするゴルフボール用マーカー。
【０００６】
また、請求項３記載の発明は下記の構成を有する。すなわち、
前記軸体の全長は、１０ｍｍ以上かつ前記円盤体の半径以下となる寸法に形成されていることを特徴とする請求項１または２記載のゴルフボール用マーカー。
【０００７】
また、請求項４記載の発明は下記の構成を有する。すなわち、
前記軸体の軸径は、１ｍｍ以上３ｍｍ以下であって、前記基部側に比べて先端部が略小径となるように形成されていることを特徴とする請求項１乃至３のいずれか１項記載のゴルフボール用マーカー。
【０００８】
また、請求項５記載の発明は下記の構成を有する。すなわち、
前記基部と環状体の間には、前記複数の羽根体と当該各羽根体との間に形成された開口が設けられており、当該開口全体の面積と比較して羽根体全体の面積が大きくなるように
形成されていることを特徴とする請求項１乃至４のいずれか１項記載のゴルフボール用マーカー。
【発明の効果】
【０００９】
本願発明に係るゴルフボール用マーカーは、ボールの位置を示すという本来の機能の他に、飛ばして遊んだり風向きを知ることができるという従来になかった機能を有する。
【発明を実施するための最良の形態】
【００１０】
以下、本願発明の一実施の形態を図面を用いて説明する。図１乃至図５は本願発明に係るゴルフボール用マーカー（以下単に「マーカー」という。」）を説明するための説明図となっている。
図１乃至図５において、１は第１の実施の形態に係るマーカーを表している。マーカー１は、円盤体２と軸体３とから構成されている。本実施の形態では、円盤体２は円形の外形を有した肉厚の薄い部材として構成されており、日本国若しくは外国において用いられている硬貨と同程度の外形寸法に形成されたものである。最適な例として、本実施の形態では円盤体２の直径は略２５ｍｍ程度、肉厚は略２ｍｍ程度に形成されている。
また、当該円盤体２は、中央に設けられた基部４と当該基部４を中心として配置された環状体５を有しており、当該基部４と環状体５との間には複数枚の羽根体６が設けられている。
【００１１】
前記基部４は、前記軸体３と羽根体６を結合させる部分である。基部４は、最適な例として本実施の形態では、円盤体２の中央に配置された小円板状として形成されているが、飛行機に搭載されるプロペラのように風上側に向かって円錐状に膨出した部分を設けてもよい。
基部４の上面を円形の平坦面とした場合には、当該部分に印刷若しくは塗装により文字・記号・模様等を付すことができる。また、文字・記号・模様等を印刷した粘着シールを用意し、当該シールを基部４の上面に貼り付けてもよい。このように、基部４の上面に種々の文字・記号・模様等を付すことにより、他のマーカーとの違いを識別する情報とすることができる。マーカーは合成樹脂による一体成型品として形成されるものであるから、形状の異なるものを作る場合にはその種類にあわせて金型を作成する必要がある。しかし、特にシールを貼り付ける方法の場合には、成型品としてのマーカーの種類は少なくてもシールの貼り付けによって外観上のデザインを異ならせることができるので、形状やデザインの異なる多数のマーカーを用意する必要がなく、製造コストを低減することができるという効果を有する。また、使用者の好みに応じたマーカーを形成することができるという効果も有している。
【００１２】
前記基部４の外周縁には放射状に複数の羽根体６が設けられており、下端面中央には前記軸体３が基部４の下端面に対して垂直をなす向きに設けられている。軸体３の先端部分は球面状に形成されている。また、先端を尖らせた尖塔形状としてもよい。
本実施の形態では、最適な例として軸体３の全長は略１１ｍｍに形成されおり、基部４に対する取付部の軸径は略２．５ｍｍに形成されており、先端部の軸径は略２ｍｍとなるよう形成されている。すなわち、軸体３は取付部から先端部にかけて次第に軸径が細くなるように形成されている。これは、地面に差し込みやすくする作用と、指によるつまみやすさを考慮したものである。特に、指によるつまみやすさは後述するように軸体３を回転させる場合の操作のしやすさを左右するものであるから、次第に軸径が細くなるように形成した軸体３の形状は、当該マーカー１にとっての重要事項の一つとなっている。
【００１３】
前記羽根体６は、前記基部４の外周縁と環状体５の内周面との間に設けられた薄肉の板片である。当該羽根体６は、基部４および環状体５に対して傾斜した状態で設けられている。すなわち、後述するように円盤体２は軸体３を中心として回転するものであるが、羽
根体６は当該円盤体２の回転面に対して傾斜した状態で設けられている。このように羽根体６を傾斜させたのは、プロペラのように羽根体６を回転させた際に浮力を生じさせるためである。
【００１４】
本実施の形態では、前記基部４の外周縁と環状体５の内周面との間に羽根体６が３枚の設けられており、これと同様に３カ所の開口７が設けられている。すなわち、羽根体６と開口７は交互に配置された状態となっている。
図２に示した平面図のように、基部４と環状体５の間に設けられている前記羽根体６と開口７との総面積比は略１：１となっている。すなわち、１枚の羽根体６の面積と一つの開口７の面積が略等しくなるように構成されている。なお、羽根体６の形状は図示したような端縁を直線状に形成したものに限らず、回転によって浮力を生じるものであれば他の形状であっても差し支えない。
【００１５】
前記環状体５は、円盤体２の外周部分に設けられた輪のような部分であり、円盤体２の外形を構成するものである。
当該環状体５は、前記羽根体６の端縁を保持することによって羽根体６の変形や破損を防止する作用を有する。また、回転中心となる軸体３から一番遠くに設けられた部材であるから、慣性力により円盤体２の回転力を維持し、ジャイロ効果により姿勢を安定させる作用を有する。したがって、後述するようにマーカー１を回転させて飛ばした場合に、前記回転力の維持とジャイロ効果によってマーカー１の安定した回転および飛行を行わせることができるようになっている。
【００１６】
次に、上記構成によるマーカー１の作用等について説明する。
第１に、前記マーカー１は、通常のゴルフボール用マーカーとしてグリーン等の地面に前記軸体３を差し込み、円盤体２の上面よってボールの位置を表すことができるようになっている。また、軸体３を設けた下面の反対側となる円盤体２の上面は、ゴルフボール用マーカーとして使用される際に、ボール位置を示す目印として視認される部分である。当該視認される円盤体２の上面の形態は、主に前記前記羽根体６および開口７の形状と円盤体２に付される色彩によって決定される。したがって、羽根体６の枚数や形状を異ならせることにより、他の使用者のマーカーとの識別できるような形態の異なる複数種類のマーカーを形成することができる。
第２に、当該マーカー１は、軸体３を指でつまんで回転させることにより、竹とんぼのように上昇させながら飛ばすことができるという作用を有する。円盤体２を構成する環状体５、羽根体６、基部４は、軸体３を中心として均等的に配置されているために、円盤体２は軸体３を中心として回転するようになっている。これにより、軸体３を回転させることにより、当該軸体３を回転中心として上方に飛ばすことができ、本来の用法の他に飛ばして遊ぶおもちゃとして使用することができるという作用・効果を有している。また、上昇させたマーカー１の風によって流されていく方向を見ることにより、風向きや強さを知ることができるという作用・効果も有している。
第３に、本実施の形態に係るマーカー１は、前記羽根体６と開口７との総面積比が略同一若しくは羽根体６の総面積が若干大きく形成されており、円盤体２の回転の際に大きな浮力が得られよく飛ぶようになっている。これは、種々実験の結果に基づくものである。
【００１７】
図５は、本願発明に係るゴルフボール用マーカーの他の実施の形態に係るマーカー２０を説明するための説明図である。マーカー２０は、前述したマーカー１と主な構造は同一であり、円盤体２２と、当該円盤体２２の中央に設けられた基部２４と、当該基部２４に設けられた軸体２３、基部２４と環状体２５との間に設けられた複数枚の羽根体２６を有する。前述のマーカー１と異なる点は、マーカー１に設けられている羽根体６の数が３枚であるのに対して、本実施の形態に係るマーカー２０では羽根体２６の数が４枚である点である。この場合、羽根体２６の枚数にあわせて開口２７も４カ所設けられており、羽根
体２６の総面積と開口２７の総面積の比が略１：１、若しくは開口２７の総面積がやや小さくなるように形成されている。その他の構成および作用・効果については前記マーカー１と同一である。
【図面の簡単な説明】
【００１８】
【図１】本願発明に係るゴルフボール用マーカーの外観斜視図である。
【図２】本願発明に係るゴルフボール用マーカーの平面図である。
【図３】本願発明に係るゴルフボール用マーカーの正面図である。
【図４】本願発明に係るゴルフボール用マーカーの底面側から見た外観斜視図である。
【図５】本願発明に係るゴルフボール用マーカーの他の実施の形態を表した外観斜視図である。
【符号の説明】
【００１９】
１  ゴルフボール用マーカー（マーカー）
２  円盤体
３  軸体
４  基部
５  環状体
６  羽根体
７  開口
２０  マーカー
２２  円盤体
２４  基部
２３  軸体
２５  環状体
２６  羽根体
２７  開口
【図１】
2005261769.tif 000003
【図２】
2005261769.tif 000004
【図３】
2005261769.tif 000005
【図４】
2005261769.tif 000006
【図５】
2005261769.tif 000007